(57)【要約】【課題】気体が吹き込まれた場合でも内層体が膨らまないようにするための二重容器の気体充填防止用リングキャップ及びそれを備える二重容器を提供する。【解決手段】リングキャップ1は、収縮可能な内層体11と外層体12からなる積層ブローボトル10の口筒部12aに取り付けられる固定リング部2を有し、リング部2の外周面に、エアパイプPを嵌合させたときパイプPを外界に通じさせる外溝3を設ける一方、リング部2の内周面に、パイプPを嵌合させたときパイプPを外界に通じさせる内溝4を設け、外溝3及び内溝4を確保するようにリング部2の上面から幅の狭い筒体部6を起立させるとともに貫通孔7を形成し、筒体部6の外周面に、パイプPを嵌合させたときパイプPの端面と接触して貫通孔7を確保してパイプPを外界に通じさせる外側突起部8を設ける。【選択図】図５
2014069870.tif 000002
【特許請求の範囲】
【請求項１】
内容物の取出しに応じて収縮する内層体と、内層体を収納する外層体からなる二重容器の口筒部に取り付けられる固定リング部を有し、
当該固定リング部の外周面に、気体供給パイプの内周面を嵌合させたとき、当該気体供給パイプとの間に気体供給パイプの内側を外界に通じさせる外溝を設ける一方、
当該固定リング部の内周面に、気体供給パイプの外周面を嵌合させたとき、当該エアパイプとの間に気体供給パイプの内側を外界に通じさせる内溝を設け、
外溝及び内溝を確保するように、固定リング部の上面から当該固定リング部よりも幅の狭い筒体部を起立させるとともに、当該筒体部に貫通孔を形成し、さらに、
筒体部の外周面に、気体供給パイプの内周面を嵌合させたとき、当該気体供給パイプの端面と接触することで貫通孔を確保して、気体供給パイプの内側を外界に通じさせる外側突起部を設け、若しくは、当該筒体部の内周面に、気体供給パイプの外周面を嵌合させたとき、当該気体供給パイプの端面と接触することで貫通孔を確保して、気体供給パイプの内側を外界に通じさせる内側突起部を設け、又は、筒体部の外周面及び内周面にそれぞれ、外側突起部及び内側突起部を設けた二重容器の気体充填防止用リングキャップ。
【請求項２】
請求項１に記載のリングキャップを二重容器の口筒部に固定してなる、リングキャップを備える二重容器。
【請求項３】
請求項２において、前記二重容器は、剥離可能な内層を有する積層ブロー成形容器である、リングキャップを備える二重容器。
【発明の詳細な説明】
【技術分野】
【０００１】
本発明は、使用済みの二重容器に気体を充填して、その内層体を膨らませて内容物を再度充填させることを防止するための技術に関するものである。
【背景技術】
【０００２】
二重容器としては、例えば、外層体の内側に内層体が密着して内容物の充填空間を形成する一方、容器に取り付けられたポンプなどを用いて内容物を取り出すと、内層体が外層体の内側から剥離して収縮することで、内容物の効率的な取出しが可能になるブロー成形容器が知られている（例えば、特許文献１参照）。
【先行技術文献】
【特許文献】
【０００３】
【特許文献１】特開平８−５２７９０号公報
【発明の概要】
【発明が解決しようとする課題】
【０００４】
こうした二重容器は使い切りを前提とし、そのまま廃棄することが通常である。また、内層体は、内容物の減少とともに収縮していくため、一般的には、内容物の詰め替え等は困難である。
【０００５】
しかしながら、本願発明者は、使い切った後に内層体を膨らませて復元させると、内容物の詰め替え等が可能になることを認識するに至った。
この場合、内層体が完全に復元しない状態で内容物が注ぎ込まれると、容器の口部から内容物が溢れて周囲を汚してしまうことが考えられ、また、別の種類の内容物が注ぎ込まれると容器内に残っていた内容物と混ざり合って品質劣化等を引き起こすおそれがある。
【０００６】
本発明の目的とするところは、気体が吹き込まれた場合でも、内層体が膨らまないようにするための二重容器の気体充填防止用リングキャップ及び、それを備える二重容器を提供することにある。
【課題を解決するための手段】
【０００７】
本発明の二重容器の流体充填防止用リングキャップは、内容物の取出しに応じて収縮する内層体と、内層体を収納する外層体からなる二重容器の口筒部に取り付けられる固定リング部を有し、
当該固定リング部の外周面に、気体供給パイプの内周面を嵌合させたとき、当該気体供給パイプとの間に気体供給パイプの内側を外界に通じさせる外溝を設ける一方、
当該固定リング部の内周面に、気体供給パイプの外周面を嵌合させたとき、当該エアパイプとの間に気体供給パイプの内側を外界に通じさせる内溝を設け、
外溝及び内溝を確保するように、固定リング部の上面から当該固定リング部よりも幅の狭い筒体部を起立させるとともに、当該筒体部に貫通孔を形成し、さらに、
筒体部の外周面に、気体供給パイプの内周面を嵌合させたとき、当該気体供給パイプの端面と接触することで貫通孔を確保して、気体供給パイプの内側を外界に通じさせる外側突起部を設け、若しくは、当該筒体部の内周面に、気体供給パイプの外周面を嵌合させたとき、当該気体供給パイプの端面と接触することで貫通孔を確保して、気体供給パイプの内側を外界に通じさせる内側突起部を設け、又は、筒体部の外周面及び内周面にそれぞれ、外側突起部及び内側突起部を設けたものである。
【０００８】
本発明に従う、気体充填防止用リングキャップは、内層体と外層体を別体として組み付けた二重容器、内層体と外層体をそれぞれ、内層及び外層として、一体にブロー成形してなる二重容器のいずれにも採用できるが、本発明では、剥離可能な内層を有する積層ブロー成形容器に採用することが好ましい。
【０００９】
また、本発明である、リングキャップを備える二重容器は、上記リングキャップを二重容器の口筒部に固定してなるものである。このとき、前記二重容器は、内層体と外層体を別体として組み付けた二重容器、内層体と外層体をそれぞれ、内層及び外層として、一体にブロー成形してなる二重容器のいずれも選択できるが、本発明では、剥離可能な内層を有する積層ブロー成形容器であることが好ましい。
【発明の効果】
【００１０】
本発明の気体充填防止用リングキャップは、従来の二重容器の口筒部に取り付けるだけの簡単な作業で、気体供給パイプを用いた吹込みを行っても外界に気体を逃がすことができる。従って、使い切った後に気体を吹き込むことで内容物の詰め替え等が行われることを防止することができる。同様に、こうしたリングキャップを備える二重容器は、使い切った後に気体を吹き込むことで内容物の詰め替え等が行われることを防止することができる。
【図面の簡単な説明】
【００１１】
【図１】（ａ）は、本発明に従う、リングキャップを備えるブロー成形ボトルをオーバーキャップとともに一部断面で示す側面図であり、（ｂ）は、同ボトルの底面図である。
【図２】図１（ａ）の拡大図である。
【図３】内容物を使い切った後の同リングキャップ付きブロー成形ボトルを一部断面で示す側面図である。
【図４】同キャップ付きボトルにおいて、固定リング部の外周面に、エア供給パイプの内周面を嵌合させることで、内層体内にエアを供給しようとしたときの状態を示す拡大図である。
【図５】同キャップ付きボトルにおいて、固定リング部の内周面に、エア供給パイプの外周面を嵌合させることで、内層体内にエアを供給しようとしたときの状態を示す拡大図である。
【図６】同キャップ付きボトルにおいて、筒体部の外周面に、エア供給パイプの内周面を嵌合させることで、内層体内にエアを供給しようとしたときの状態を示す拡大図である。
【発明を実施するための形態】
【００１２】
以下、図面を参照して、本発明に従う、エア充填防止用リングキャップを備えるブロー成形ボトルを詳細に説明する。
【００１３】
図１（ａ）中、符号１は、本発明に従う、リングキャップであり、符号１０は、リングキャップ１を備える積層ブロー成形ボトルである。積層ブロー成形ボトル１０は、共押出しされた合成樹脂製の図示せぬ積層パリソンを用いて、内層体１１と外層体１２をそれぞれ、異材質の内層（例えば、ナイロン層）及び外層（例えば、ＰＰ（ポリプロピレン）層）として、一体にダイレクトブロー成形してなる。内層体１１は、外層体の内側に剥離可能に密着し、その内側に、内容液の充填空間Ｓを形成する。積層ブロー成形ボトル１０には、オーバーキャップ２０が取り外し可能に装着されている。本実施形態では、オーバーキャップ２０は、口筒部１２ａに螺合し、その内側に形成された筒状部２１によってシールされている。なお、口筒部１２ａには、内層体１１と外層体１２との間に外気を導入するための開口部１２ｂが形成されている。また、内層体１１の底部と外層体１２の底部は、ブロー成形にあたりピンチオフされているところ、同図（ｂ）に示すように、外層体１２の底部において、ピンチオフ部分に割れ目１２ｃを形成し、この割れ目１２ｃを内層体１１と外層体１２との間に外気を導入するための開口部とすることもできる。
【００１４】
一方、リングキャップ１は、図２に示すように、固定リング部２を有する。固定リング部２は、その下端に環状溝を有し、口筒部１２ａの上端部分に取り付けられる。固定リング部２は、口筒部１２ａとの間をシールとともに、後述するとおり、オーバーキャップ２０との間をシールするシール部材として機能する。固定リング部２の外周面には、外溝３が設けられている。外溝３は、固定リング部２の外周面を、その上端から下端まで軸線Ｏに沿って切り欠くことで構成されている。外溝３は、固定リング部２の外周面に対して、少なくとも一箇所に設けることができる。
【００１５】
これに対し、固定リング部２の内周面には、内溝４が設けられている。内溝４は、固定リング部２の内周面を、その上端から環状のシール突起５まで軸線Ｏに沿って切り欠くことで構成されている。本実施形態では、シール突起５は、オーバーキャップ２０から垂下する筒状部２１との間をシールする。内溝４も、固定リング部２の内周面に対して、少なくとも一箇所に設けることができる。また、本実施形態では、固定リング部２にシール性を持たせるため、内溝４は、固定リング部２の内周面を、その上端から環状のシール突起５まで切り欠いて構成したが、本発明に従えば、外溝３と同様、固定リング部２の内周面を、その上端から下端まで軸線Ｏに沿って切り欠くことで構成することも可能である。
【００１６】
加えて、固定リング部２の上面からは、固定リング部２よりも幅が狭い筒体部６が一体に起立する。筒体部６は、外溝３及び内溝４を確保するように配置されている。本実施形態では、筒体部６の外周面が固定リング部２の外周面に対して径方向内側にオフセットするとともに、筒体部６の内周面が固定リング部２の内周面に対して径方向外側にオフセットするように配置されている。筒体部６には、貫通孔７が形成されている。さらに、筒体部６の外周面及び内周面にはそれぞれ、外側突起部８及び内側突起部９が一体に設けられている。外側突起部８及び内側突起部９は、貫通孔７に対して周方向にオフセットした位置に配置されている。外側突起部８及び内側突起部９はそれぞれ、それらの上端８ａ及び上端９ａが貫通孔７よりも高い位置になるように設計されている。貫通孔７、外側突起部８及び内側突起部９は、筒体部６に対して少なくとも一箇所に設けることができる。
【００１７】
次に、リングキャップ１の作用及び効果を説明する。
【００１８】
図３は、図示せぬトリガーポンプ等により、内容物を使い切った後のリングキャップ１を備える積層ブロー成形ボトル１０である。内容物を使いきった後は、同図に示すように、内層体１１が収縮することで、内容物の詰め替え等は困難である。
【００１９】
ここで、図４は、固定リング部２の外周面に、エア供給パイプＰの内周面を嵌合させることで、内層体１１内にエアを供給しようとしたときの状態を示す。図中、矢印は、エア供給パイプＰから吹き出されたエアの経路ｒ1である。この場合、固定リング部２の外周面に外溝３が設けられているとともに、この外溝３を確保するように筒体部６が設けられている。これにより、筒体部６の外周面とエア供給パイプＰの内周面との間には、環状の隙間Ｃ1が形成されるとともに、固定リング部２の外周面とエア供給パイプＰの内周面との間には、外溝３とエア供給パイプＰの内周面とで形成された隙間Ｃ2が形成される。エア供給パイプＰの内側に開放された隙間Ｃ1は隙間Ｃ2に通じているため、リングキャップ１とエアパイプＰとの間には、エア供給パイプＰの内側を外界に通じさせるエア経路ｒ1が形成される。このため、エア供給パイプＰを用いた吹込みを行っても、同図の矢印に示すように、エアを外界に逃がすことができる。従って、この場合、内層体１１を膨らませて復元させることができない。
【００２０】
図５は、固定リング部２の内周面に、エア供給パイプＰの外周面を嵌合させることで、内層体１１内にエアを供給しようとしたときの状態を示す。図中、矢印は、エア供給パイプＰから吹き出されたエアの経路ｒ2である。この場合、固定リング部２の内周面に内溝４が設けられているとともに、この内溝４を確保するように貫通孔７が形成された筒体部６が設けられている。これにより、固定リング部２の内周面とエア供給パイプＰの外周面との間には、内溝４とエア供給パイプＰの外周面とで形成された隙間Ｃ3が形成されるとともに、筒体部６の内周面とエア供給パイプＰの外周面との間には、環状の隙間Ｃ4が形成される。エア供給パイプＰの内側に開放された隙間Ｃ3は隙間Ｃ4及び貫通孔７に通じているため、リングキャップ１とエアパイプＰとの間には、エア供給パイプＰの内側を外界に通じさせる２つのエア経路ｒ2が形成される。このため、エア供給パイプＰを用いた吹込みを行っても、同図の矢印に示すように、エアを外界に逃がすことができる。従って、この場合も、内層体１１を膨らませて復元させることができない。
【００２１】
図６は、筒体部６の外周面に、エア供給パイプＰの内周面を嵌合させることで、内層体１１内にエアを供給しようとしたときの状態を示す。図中、矢印は、エア供給パイプＰから吹き出されたエアの経路ｒ3である。この場合、筒体部６に貫通孔７が形成されているとともに、その外周面にはエア供給パイプの端面と接触することで貫通孔７を確保する外側突起部８が設けられている。これにより、エア供給パイプＰの内側には貫通孔７を通して外界に通じているため、リングキャップ１とエアパイプＰとの間には、エア供給パイプＰの内側を外界に通じさせるエア経路ｒ3が形成される。このため、エア供給パイプＰを用いた吹込みを行っても、同図の矢印に示すように、エアを外界に逃がすことができる。従って、この場合も、内層体１１を膨らませて復元させることができない。また、筒体部６の内周面に、エア供給パイプＰの外周面を嵌合させることで、内層体１１内にエアを供給しようとした場合は、筒体部６の内周面に設けた内側突起部９がエア供給パイプの端面と接触することで貫通孔７を確保するため、図６と同様、貫通孔７を通してエアを外界に逃がすことができる。なお、図４〜６では、図面の簡略化のため、内側突起部９を省略している。また、本発明に従えば、外側突起部８及び内側突起部９は、少なくとも一方のみを設けることができる。
【００２２】
上述のとおり、リングキャップ１は、従来の積層ブロー成形ボトル１０の口筒部１２ａに取り付けるだけの簡単な作業で、エア供給パイプＰを用いた吹込みを行っても外界に気体を逃がすことができる。このため、内層体１１を膨らませて復元させることができない。従って、使い切った後に気体を吹き込むことで内容物の詰め替え等が行われることを防止することができる。同様に、リングキャップ１を備える積層ブロー成形ボトル１０は、使い切った後に気体を吹き込むことで内容物の詰め替え等が行われることを防止することができる。さらに、詰め替える行為を未然に防げることにより、容器口部から内容物が溢れて周囲を汚してしまう危険性を回避できると共に、別の種類の内容物が注ぎ込まれることによる残液との混ざり合いも防げるので、品質劣化やポンプ作動不良等を回避することができる。
【００２３】
上述したところは、本発明の様々な実施形態であるが、本発明に従えば、様々な変更が可能となる。例えば、口筒部１２ａは螺合させる構成に限定されることなく、例えば、アンダーカット嵌合等の凹凸嵌合によって打栓させる構成のものを含む。また、積層ブロー成形ボトル１０は、上述のとおり、口筒部１２ａに形成した開口部１２ｂより、内層体１１と外層体１２との間に外気を導入できる。このため、中間体としての積層プリフォームを用いて内層体１１と外層体１２をそれぞれ、異材質の内層（例えば、ＰＰ（プリプロピレン））及び外層（ＰＥＴ（ポリエチレンテレフタレート））層として、一体に二軸延伸ブローすることもできる。二重容器は、本実施形態のように、内層体と外層体をそれぞれ、内層及び外層として、一体にブロー成形してなる二重容器の他、内層体と外層体を別体として組み付けた二重容器も採用できる。さらに、内層体（内層）１１は、単層体（単層）に限定されることなく、積層体（積層）として構成することもできる。また、口筒部には、トリガーポンプ以外にも、押圧ヘッドを備えたポンプやスプレー等、様々なポンプを装着できる。
【産業上の利用可能性】
【００２４】
本発明は、内容物の取出しに応じて収縮する内層体と、内層体を収納する外層体からなる二重容器であれば様々な物に採用することができる。
【符号の説明】
【００２５】
１      エア充填防止用リングキャップ
２      固定リング部
３      外溝
４      内溝
５      シール突起
６      筒体部
７      貫通孔
８      外側突起部
８ａ    外側突起部端面
９      内側突起部
９ａ    内側突起部端面
１０    積層ブロー成形ボトル（二重容器）
１１    内層体（内層）
１２    外層体（外層）
１２ａ  口筒部
１２ｂ  開口部（外気導入孔）
１２ｃ  割れ目（外気導入孔）
Ｃ1〜Ｃ4 隙間
ｒ1〜ｒ3 エア経路
Ｓ      充填空間
【図１】
2014069870.tif 000003
【図２】
2014069870.tif 000004
【図３】
2014069870.tif 000005
【図４】
2014069870.tif 000006
【図５】
2014069870.tif 000007
【図６】
2014069870.tif 000008